(57)【特許請求の範囲】
【請求項１】
収納ベゼルに形成された光を透過可能な窓の裏面側に固定され、インサイドハンドル部を照明する光源ユニットであって、
ＬＥＤからなる光源と、
前記光源が収納される筐体と、を備え、
前記筐体は、ばね弾性を有する合成樹脂材料からなり、一側面に発光面と、該一側面の反対側の側面に設けられた一対の係止脚と、該係止脚の間に配置され中心部から縁部に向かって前記筐体から遠ざかるように湾曲する板状に形成された押え板とを備え、
前記一対の係止脚はそれぞれ、前記反対側の側面から垂直に伸びた棒状ないし板状の第１部分と、前記係止脚のほぼ中央部付近で前記筐体の中心から離れる方向に屈曲し、斜めに延びる第２の部分と、該第２部分の先端に形成された係止爪と、を有する、
ことを特徴とする光源ユニット。
【請求項２】
前記発光面は光透過性の樹脂からなる薄板状の部材であって前記発光面の表面には光拡散層が形成されている、ことを特徴とする請求項１に記載の光源ユニット。
【請求項３】
ハーネスとの結合を形成するための係止爪が筐体内側に備えられる空間が前記筐体に設けられている、ことを特徴とする請求項２に記載の光源ユニット。
【発明の詳細な説明】
【０００１】
【産業上の利用分野】
本発明は、車室内照明装置に関する。詳しくは、インサイドハンドル部を照明する光源ユニットに関する。
【０００２】
【従来の技術】
車室内照明装置として、インサイドハンドル部の視認性向上を目的とした照明装置が知られている。例えば、特開平１１−１０５５４７号公報に開示される照明装置では、インサイドハンドルベセル後方に光源ユニットを設置し、かかる光源ユニットからの光をインサイドハンドルベセル前面へと取り出してインサイドハンドル部を照明している。
このような照明装置において、光源ユニットは、例えば、次の方法により支持板に固定される。即ち、一対の係止脚を光源ユニットの一側面に設け、他方、支持板には一対の係止孔を設ける。そして、光源ユニットの各係止脚を、対応する支持板の係止孔にそれぞれ差込み、両者を係合させる。
【０００３】
【発明が解決しようとする課題】
一方、インサイドハンドル部の照明においては、必要十分な光を的確にインサイドハンドルに照射することが要求されるため、光源ユニットを精度良く位置調整してドアトリム側の支持板に取り付ける必要がある。また、走行中に路面から伝わる振動により光源ユニットの位置が変動しないように固定する必要がある。
しかしながら、上記の従来の方法では、光源ユニットが支持板上の２点において固定されるため、その固定力は十分とはいえず、取り付け位置の変動が生ずる恐れがある。特に、支持板に垂直な方向について十分に固定することが難しく、当該方向における取り付け位置の変動が生じやすい。
【０００４】
【課題を解決するための手段】
本発明は、以上の課題を解決すべくなされたものであり、以下の構成からなる。即ち、
インサイドハンドル部を照明する光源ユニットであって、
光源と、前記光源が収納される筐体と、を備え、
前記筐体は、少なくとも二つの係止脚と、該係止脚の間に配置される押え板とを有する、ことを特徴とする光源ユニット。
【０００５】
このような構成によれば、少なくとも二つの係止脚と、押え板とが複合的かつ協同的に作用するため、高い固定力をもって光源ユニットを固定することができる。また、係止脚の間に押え板を配置することから、係止脚による固定力が広い間隔をおいて作用することとなり、その結果、係止脚による固定力が高められる。
一方、係止脚と押え板といった簡易な手段により、光源ユニットを取り付けることができるため、光源ユニットの取付位置の調整が容易に行えるものである。また、係止脚と押え板とを組み合わせて光源ユニットを固定することから、光源ユニットの取付位置の調整を高い精度で行うことができる。
以上のように、本発明の構成によれば、高い固定力をもって取り付けることができ、かつ、その取り付け位置の調整を容易かつ高い精度で行うことができる光源ユニットが提供される。
【０００６】
【発明の実施の形態】
以下、本発明の実施の形態について、図を参照しながら具体的に説明する。
図１は、本発明の一実施例である光源ユニット１の斜視図である。図２(a)、(b)、及び(c)は、それぞれ光源ユニット１の平面図、正面図、及び背面図である。図３(a)、及び(b)は、それぞれ光源ユニット１の左側面図、及び右側面図である。図４には、図１におけるＡ−Ａ線断面図を示した。
【０００７】
光源ユニット１は、外形が略直方体の筐体２に、ＬＥＤ光源７１及び７２が収納されて概略構成されるものである。
筐体２は光を透過しない樹脂製の筐体であって、一側面のほぼ中央部に発光面１１を備える。発光面１１は光透過性の樹脂からなる薄板状の部材であって、図４に示されるように、筐体２の側面に設けられた窓に嵌め込まれる。発光面１１を筐体２と一体的に形成することもできる。尚、発光面１１のＬＥＤ光源７１、７２側の表面には図示しない光拡散層を一様に形成してある。かかる光拡散層によりＬＥＤ光源７１、７２からの光が分散され、発光面１１全体に渡って均一な光の照射が可能となる。
【０００８】
筐体２の発光面１１が設けられる側面と反対の側面には、後述の支持板９０への固定部材である一対の係止脚２０及び３０、並びに中心部から縁部に向かって外側に湾曲する押え板４０が形成されている。図４を参照しながら、これらの固定部材について詳細に説明する。
係止脚２０及び３０は、筐体２の一側面に形成された一対の突起状の脚部であって、両者が、当該側面のほぼ中央の位置に対してそれぞれ対象となるような位置に形成されている。また、係止脚２０及び係止脚３０は弾性変形する材料で形成される。係止脚２０は、筐体２の当該側面に対して垂直に伸びた棒状ないし板状の第１の部分２１を有する。また、係止脚２０は、そのほぼ中央付近で筐体２の中心から離れる方向に屈曲し、図において斜め左下方に向って伸びる第２の部分２２が形成される。この第２の部分２２の先端には係止爪２３が形成されている。
係止脚２０と同様に、係止脚３０は、垂直に伸びた第１の部分３１、及び図において斜め右下方向に向って伸びる第２の部分３２を有し、当該第２の部分３２の先端には係止爪３３が形成されている。
【０００９】
押え板４０は、係止脚２０及び３０に挟まれる位置に形成される突起部である。押え板４０は、中心部４１から縁部４２又は４３に向って湾曲した板状に形成されている。また、当該板状部の縁部４２及び４３の位置は、係止脚２０、３０の係止爪２３、３３が設けられる先端部よりも、図において若干上側になるように設計されている。尚、当該板状部の縁部４２及び４３の位置は、支持板９０の板厚を考慮して、係止脚２０、３０の係止爪２３、３３が設けられる先端部との間隔が最適となるように設計してある。
押え板４０も係止脚２０、３０と同様に弾性変形する材料により形成される。押え板４０は両縁部で筐体２からの間隔が広くなるような板状とすることが好ましい。後述のように、押え板４０の両縁部が支持板９０に圧縮状態で当接してこれと係止脚２０、３０とで支持板９０を挟持することにより光源ユニット１の固定が行われるため、両縁部の間隔を広くすることにより押え板４０の撓みが大きくなり、もってより大きな反発力が生じて押え板４０による固定力が高められるからである。
【００１０】
本実施例の光源ユニット１では係止脚を２つ設けたが、係止脚の数はこれに限定されるものではなく、二つ以上であれば、任意の数の係止脚を設けることができる。また、係止脚の形状も、光源ユニット１に対する固定作用、固定効果が奏されるものであれば、その形状、大きさは特に限定されない。特に係止脚の係止爪については、公知の構成のものを任意に選択して採用することができる。
同様に、押え板の数も実施例の一つに限られず、複数の押え板を設けることができる。また、押え板の形状も光源ユニットに対する固定作用、固定効果が奏されるものであれば、その形状、大きさは特に限定されない。
【００１１】
次に、図４を参照しながら、筐体２、及びその内部構成について説明する。筐体２内部には、その中心部分において空間が形成されており、かかる空間部分に、ＬＥＤ光源７１及び７２をマウントした基板７０が設置される。基板７０には、所望の配線がパターニングされる。また、ＬＥＤ光源７１及び７２の他に抵抗等の素子がマウントされている。基板７０には電気的接続部材７５が接続される。ＬＥＤ光源としては、汎用的なものを用いることができ、その発光色も任意に選択することができる。例えば、アンバー系の発光色を有するＬＥＤを好適に用いることができる。
【００１２】
本実施例ではＬＥＤを光源として用いたが、バルブを光源に用いることもできる。ＬＥＤを光源として用いることは、小型化、省電力化、及び長寿命化の観点から好ましい。また、ＬＥＤは、その放熱量が少ないため、連続的に点灯した場合であっても周囲の部材に与える影響が小さいといった利点もある。さらには、ＬＥＤから放出される光は指向性が高く、必要十分な箇所を照明することができる。
【００１３】
筐体２には、図において左側部分にも空間が設けられており、ここには、ハーネスとの結合を形成するための係止爪６０が筐体内側に備えられる。係止爪６０を用いてハーネスを接続することにより、電気的接続部材７５を介して基板７０上の各素子に電力が供給される。
【００１４】
以上のような筐体２は、例えば、ポリプロピレン、ナイロン６６、ＰＢＴ、ＰＯＭ等のばね弾性を有する合成樹脂を材料として、例えば射出成型により作製することができる。
【００１５】
次に、光源ユニット１の取付態様について説明する。図５は、乗用車のドアの車室側に取り付けられたインサイドハンドル部８０を示すものである。インサイドハンドル部８０の収納ベセル８３の一部には光を透過可能な窓８５が形成されている。本実施例では、窓８５を光透過性の樹脂を用いて、収納ベセル８３と一体的に形成した。窓８５の裏面側（ドア内部）においては、後述のように、光源ユニット１が支持板９０に固定される。そして、光源ユニット１からの光は当該窓８５を介してインサイドハンドル部８０前面へと取り出され、インサイドハンドル８１を照明する。
【００１６】
図５におけるＢ−Ｂ線断面図を図６に示す。収納ベセル８３はドア壁面１００に取り付けられる。ドア１００の内側には支持板９０が備えられている。支持板９０には、収納ベセル８３の窓８５に対応する位置に二つの貫通口９１及び９２が形成されている。かかる貫通口を用いて光源ユニット１が支持板９０に取り付けられる。具体的な取付態様について、光源ユニット１を支持板９０に取り付ける過程を順に示した図７を用いて説明する。尚、図７は光源ユニット１の取付位置部分を拡大したものである。
【００１７】
まず、貫通口９１及び９２に、光源ユニット１の係止脚２０及び３０の屈曲部２５及び３５がそれぞれ差し込まれる（図７(a)）。続いて、光源ユニット１を支持板９０方向に移動させることにより、係止脚２０及び係止脚３０は、それぞれ貫通口９１及び９２の周壁に沿うようにして奥へと導入される。この際、係止脚２０の第２の部分２２及び係止脚３０の第２の部分３３は貫通口９１及び９２の周壁にそれぞれ押されて弾性変形し、撓む（図７(a)）。さらに光源ユニット１を支持板９０方向に移動させることにより、係止脚２０の第２の部分２２、及び係止脚３０の第２の部分３２はさらに撓み、他方、押え板４０の縁部４２及び４３は支持板９０に当接し、その後、図中下方向の力を受けて弾性変形し、撓む（図７(b)）。そして、最終的に係止脚２０及び３０の係止爪２３及び３３と貫通口９１及び９２の周縁とがそれぞれ係合する（図７(c)）。この状態で、各係止脚２０及び３０は貫通口９１及び９２の各周縁で圧縮された状態にある。従って、係止脚２０及び３０は支持板９０に対してこれと平行な方向（図で左右方向）へガタつかなくなる。更には、図７の係止状態において圧縮された状態の押え板４０と係止脚２０、３０の各段差部分とで支持板９０を挟持している。よって、支持板９０の垂直方向（図の上下方向）に対しても光源ユニットはガタつかなくなる。このようにして、光源ユニット１は、その発光面１１が、収納ベセル８３の窓８５の位置にくるように位置調整されて支持板９０に安定して固定される。
【００１８】
光源ユニット１では、係止脚２０と係止脚３０との間に押え板４０を配置する構成としたため、両係止脚間隔を筐体２の幅いっぱいにとることができ、もって両係止脚の間隔を可及的に広くすることができる。これにより、光源ユニット１の取り付けが安定する。また、押え板４０をその両縁部で筐体２からの間隔が広くなるようにしたことにより、押え板４０の撓みによって生ずる反発力が増大し、もって光源ユニット１の取り付けが安定する。
【００１９】
この発明は、上記発明の実施の形態の説明に何ら限定されるものではない。特許請求の範囲の記載を逸脱せず、当業者が容易に想到できる範囲で種々の変形態様もこの発明に含まれる。
【図面の簡単な説明】
【図１】図１は、本発明の一実施例である光源ユニット１の斜視図である。
【図２】  図２(a)、(b)、及び(c)は、それぞれ光源ユニット１の平面図、正面図、及び背面図である。
【図３】図３(a)、及び(b)は、同じく光源ユニット１の左側面図、及び右側面図である。
【図４】図４は、図１におけるＡ−Ａ線断面図である。
【図５】図５は、インサイドハンドル部８０を示した図である。
【図６】図６は、図５におけるＢ−Ｂ線断面図である。
【図７】図７(a)、(b)、(c)は、支持板９０に対する光源ユニット１の取付方法を順に示した図である。
【符号の説明】
１  光源ユニット
１１  発光面
２０  ３０  係止脚
２３  ３３  係止爪
４０  押え板
７１  ７２  ＬＥＤ
８１  インサイドハンドル
８３  収納ベセル
９０  支持板
９１  ９２  貫通口
【図１】
0003972563.tif 000002
【図２】
0003972563.tif 000003
【図３】
0003972563.tif 000004
【図４】
0003972563.tif 000005
【図５】
0003972563.tif 000006
【図６】
0003972563.tif 000007
【図７】
0003972563.tif 000008